(57)【要約】【課題】組み付け作業の時間短縮が可能な画像形成装置を提供する。【解決手段】画像形成装置１は、低圧電源ユニット１０と、低圧電源ユニット１０を収納するハウジング３とを具備する。  低圧電源ユニット１０は、低圧電源回路が設けられた基板２０と、一端３１Ａ、３２Ａが基板２０にハンダ付けされ、他端が外部電源に接続される接続コード３１、３２と、基板２０を内部に収納固定する収納凹部４１が形成されているとともに、収納凹部４１の開口縁４１Ａの一部に切り欠き４２が形成された金属製の筐体４０と、開口縁４１Ａと当接するように筐体４０に組み付けられて収納凹部４１を覆うとともに、切り欠き４２を閉じてコード挿通口４５とする金属製の蓋体５０と、内部に接続コード３１、３２を挿通させた状態で切り欠き４２に挿入され、蓋体５０が筐体４０に組み付けられることにより、コード挿通口４５に装着される樹脂製の環状体６０とを備える。【選択図】図３
2009036841.tif 000002
【特許請求の範囲】
【請求項１】
低圧電源回路が設けられた基板と、
一端が前記基板にハンダ付けされ、他端が前記低圧電源回路に電力を供給する外部電源に接続される１対の接続コードと、
前記基板を内部に収納固定する収納凹部が形成されているとともに、前記収納凹部の開口縁の一部に切り欠きが形成された金属製の筐体と、
前記開口縁と当接するように前記筐体に組み付けられて前記収納凹部を覆うとともに、前記切り欠きを閉じてコード挿通口とする金属製の蓋体と、
内部に両前記接続コードを挿通させた状態で前記切り欠きに挿入され、前記蓋体が前記筐体に組み付けられることにより、前記コード挿通口に装着される樹脂製の環状体とを備える低圧電源と、
前記低圧電源を収納するハウジングとを具備することを特徴とする画像形成装置。
【請求項２】
前記基板及び／又は前記切り欠きには係合部が形成され、前記環状体には前記係合部に対して弾性変形して係合する被係合部が形成され、
前記被係合部が前記係合部に係合することで、前記環状体が前記切り欠きに対して位置決めされる請求項１記載の画像形成装置。
【請求項３】
前記係合部は、前記切り欠きの両側縁に形成された一対の凹部であり、
前記被係合部は、前記環状体の外周面から径外方向に突出する一対の凸部である請求項２記載の画像形成装置。
【請求項４】
前記係合部は、前記基板に形成された一対の貫通穴であり、
前記環状体は、前記切り欠きから前記基板まで延びる長尺体であり、
前記被係合部は、前記環状体の前記基板側の端部から両前記貫通穴に向けて突出する一対の鍵爪である請求項２記載の画像形成装置。
【請求項５】
前記環状体内には、前記接続コードを１本ずつに仕切る隔壁が軸方向に形成されている請求項４記載の画像形成装置。
【請求項６】
両前記接続コードは、前記基板と前記切り欠きとの間の少なくとも一部の区間で、粘着テープにより一つにまとめられている請求項１乃至４のいずれか１項記載の画像形成装置。
【発明の詳細な説明】
【技術分野】
【０００１】
本発明は画像形成装置に関する。
【背景技術】
【０００２】
特許文献１の図１６に従来の画像形成装置が開示されている。この画像形成装置は、低圧電源と、低圧電源を収納するハウジングとを具備する。そして、この画像形成装置では、低圧電源により、コンセント等の外部電源から供給される電圧を降圧させて、画像形成動作を行うためのモータ等の駆動機構及びセンサ等の電子部品を作動させることが可能となっている。
【０００３】
【特許文献１】特開２００６−５３２５５号公報
【発明の開示】
【発明が解決しようとする課題】
【０００４】
ところで、上記従来の画像形成装置における低圧電源は、一般的には、低圧電源回路が設けられた基板と、一端が基板にハンダ付けされ、他端が低圧電源回路に電力を供給する外部電源に接続される１対の接続コードと、基板を内部に収納固定する収納凹部が形成されているとともに、収納凹部の開口縁の一部に切り欠きが形成された金属製の筐体と、開口縁と当接するように筐体に組み付けられて収納凹部を覆うとともに、切り欠きを閉じてコード挿通口とする金属製の蓋体とを備える。
【０００５】
そして、この低圧電源の組み付け工程において、両接続コードを切り欠きに配置した状態で蓋体を筐体に組み付けることにより、接続コードがコード挿通口から低圧電源の外部に引き出されるようになっている。
【０００６】
ここで、蓋体を筐体に組み付ける際には、両接続コードが蓋体と筐体とにより挟まれて断線したり、蓋体又は筐体と接触して短絡が生じたりする不具合を万が一にも生じさせないため、両接続コードが切り欠きから外れないように、作業者が細心の注意を払って作業しなければならない。このため、上記従来の画像形成装置では、組み付け作業の時間短縮が難しい。
【０００７】
本発明は、上記従来の実情に鑑みてなされたものであって、組み付け作業の時間短縮が可能な画像形成装置を提供することを解決すべき課題としている。
【課題を解決するための手段】
【０００８】
本発明の画像形成装置は、低圧電源回路が設けられた基板と、
一端が前記基板にハンダ付けされ、他端が前記低圧電源回路に電力を供給する外部電源に接続される１対の接続コードと、
前記基板を内部に収納固定する収納凹部が形成されているとともに、前記収納凹部の開口縁の一部に切り欠きが形成された金属製の筐体と、
前記開口縁と当接するように前記筐体に組み付けられて前記収納凹部を覆うとともに、前記切り欠きを閉じてコード挿通口とする金属製の蓋体と、
内部に両前記接続コードを挿通させた状態で前記切り欠きに挿入され、前記蓋体が前記筐体に組み付けられることにより、前記コード挿通口に装着される樹脂製の環状体とを備える低圧電源と、
前記低圧電源を収納するハウジングとを具備することを特徴とする（請求項１）。
【０００９】
このような構成である本発明の画像形成装置では、低圧電源の蓋体を筐体に組み付ける際、まず、環状体が内部に両接続コードを挿通させた状態で切り欠きに挿入される。そして、蓋体が筐体に組み付けられることにより、環状体がコード挿通口に装着される。このため、両接続コードが確実に切り欠き内に位置することとなり、両接続コードが蓋体と筐体とにより挟まれることがなくなる。その結果、作業者が蓋体を筐体に組み付ける作業を容易に実施できる。
【００１０】
したがって、この画像形成装置は、組み付け作業の時間短縮を図ることができる。また、両接続コードが蓋体と筐体とにより挟まれることがないので、両接続コードが断線したり、蓋体又は筐体と接触して短絡が生じたりする不具合を確実に防止でき、低圧電源の安全性を一層高めることができる。
【００１１】
本発明の画像形成装置において、基板及び／又は切り欠きには係合部が形成され、環状体には係合部に対して弾性変形して係合する被係合部が形成され、被係合部が係合部に係合することで、環状体が切り欠きに対して位置決めされることが好ましい（請求項２）。
【００１２】
この場合、この画像形成装置は、低圧電源の蓋体を筐体に組み付ける際、切り欠きの係合部に環状体の被係合部を係合させることで、環状体を切り欠きに対して位置決めすることができる。このため、環状体が切り欠きから外れ難くなるので、蓋体を筐体に組み付ける作業を一層容易に実施することができる。
【００１３】
係合部及び被係合部は、本発明の作用効果を奏することができるものであれば、どのようなものを採用してもかまわない。
【００１４】
例えば、係合部は、切り欠きの両側縁に形成された一対の凹部であり、被係合部は、環状体の外周面から径外方向に突出する一対の凸部であり得る（請求項３）。
【００１５】
また、係合部は、基板に形成された一対の貫通穴であり、環状体は、切り欠きから基板まで延びる長尺体であり、被係合部は、環状体の基板側の端部から両貫通穴に向けて突出する一対の鍵爪であり得る（請求項４）。
【００１６】
係合部及び被係合部がこれらの具体的構成である画像形成装置であれば、本発明の作用効果を確実に奏することができる。
【００１７】
また、環状体が切り欠きから基板まで延びる長尺体である場合には、両接続コードが筐体又蓋体と接触することを確実に防止できるので、低圧電源の安全性を一層高めることができる。
【００１８】
環状体を構成する樹脂材料としては、本発明の作用効果を奏するものであればどのようなものを採用してもかまわない。どちらかといえば、適度な形態保持性を備えつつ弾性変形しやすい樹脂であることが好ましく、特に、ＰＥＴ樹脂、ＰＣ樹脂等を採用することが好ましい。
【００１９】
本発明の画像形成装置において、環状体内には、接続コードを１本ずつに仕切る隔壁が軸方向に形成され得る（請求項５）。
【００２０】
この場合、この画像形成装置は、接続コード同士の接触を確実に防止でき、低圧電源の安全性をより一層高めることができる。なお、隔壁は、環状体の軸方向の少なくとも一部の区間に形成されていればよい。
【００２１】
本発明の画像形成装置において、両接続コードは、基板と切り欠きとの間の少なくとも一部の区間で、粘着テープにより一つにまとめられ得る（請求項６）。
【００２２】
この場合、この画像形成装置は、環状体の内部に両接続コードを挿通させる作業を容易に実施できる。また、結束バンドにより接続コードをまとめる場合は、接続コードが締め付けられ過ぎて損傷する不具合も生じ得るが、粘着テープでは、そのような不具合も生じ難い。さらに、一方の接続コードの一端が断線等により基板から離れても、テープにより他方の接続コードとまとめられているので、蓋体や筐体と接触し難く、短絡が生じ難い。
【発明を実施するための最良の形態】
【００２３】
以下、本発明を具体化した実施例１〜５を図面を参照しつつ説明する。なお、図１〜図１１、図１３、及び図１５においては、紙面上方を上側とし、紙面下方を下側とする。また、図１２及び図１４においては、紙面手前側を上側とし、紙面奥側を下側とする。
【実施例１】
【００２４】
図１に示すように、実施例１の画像形成装置１は、ハウジング３と、画像形成部（図示しない）と、低圧電源ユニット１０とを具備している。
【００２５】
＜全体構成＞
ハウジング３は、図１に示すように、樹脂、金属その他の一般的な材料からなる略箱状体である。ハウジング３の外部上面には、画像が形成された用紙が排紙される排紙トレイ５が凹設されている。また、ハウジング３の外部側面には、コネクタ６が配設されている。
【００２６】
一方、ハウジング３の内部中央には、画像形成部（図示しない）が収納されている。画像形成部は、画像形成部本体（図示しない）及び画像形成部本体に用紙を供給する給紙カセット及び給紙機構（図示しない）等を有している。画像形成部本体は、電子写真方式、インクジェット方式その他の一般的な画像形成方式を採用する周知の構成である。また、給紙カセット及び給紙機構等も周知の構成である。このため、画像形成部本体、給紙カセット及び給紙機構等の詳細説明は省略する。
【００２７】
画像形成部は、給紙機構により給紙カセットから用紙を１枚ずつ画像形成部本体に搬送し、画像形成部本体により用紙に画像を形成して、排紙トレイ５に排紙することが可能となっている。
【００２８】
また、ハウジング３の内部側方には、詳細を後述する低圧電源ユニット１０が収納されている。低圧電源ユニット１０は、１対の接続コード３１、３２を介して、コネクタ６と接続されている。
【００２９】
低圧電源ユニット１０内には、１００Ｖの電圧を６Ｖ程度の低電圧に降圧する低圧電源回路が設けられた基板２０（図３等に図示して詳細を後述する。）が収納固定されている。そして、外部電源としての電圧１００Ｖの家庭用コンセント（図示しない）等から、電源コード（図示しない）、コネクタ６、１対の接続コード３１、３２を介して、低圧電源ユニット１０内の基板２０に電力が供給され、低圧電源回路により降圧されるようになっている。そして、降圧された電力は、低圧電源ユニット１０から引き出された１対の内部配線コード７１、７２を介して、画像形成部を構成するモータ等の駆動機構及びセンサ等の電子部品に供給されるようになっている。以下、低圧電源ユニット１０について、より詳しく説明する。
【００３０】
＜低圧電源ユニット＞
低圧電源ユニット１０は、図２及び図３に示すように、基板２０と、１対の接続コード３１、３２と、基板２０を収納する金属製の筐体４０及び蓋体５０と、環状体６０とを備えている。また、低圧電源ユニット１０は、１対の内部配線コード７１、７２と、環状体７０とを備えている。
【００３１】
基板２０は、図３に示すように、細長い矩形状の絶縁基板の上面側に配線パターンや複数の電気回路素子が配置されることにより、低圧電源回路が設けられたものである。低圧電源回路は、本実施例では、コンセント等の外部電源から供給される１００Ｖの電圧を６Ｖ程度の低電圧に降圧する周知の構成のものである。このため、基板２０上の配線パターンや電気回路素子等については図示を省略する。
【００３２】
筐体４０は、図３に示すように、金属薄板が板金加工されたものであり、上方が開放された細長い略箱型形状をなしている。筐体４０の内側には、基板２０を内部に収納することが可能な収納凹部４１が形成されている。収納凹部４１の四隅には、金属薄板が折り曲げられることにより、基板支持片４０Ａ、４０Ｂ、４０Ｃ、４０Ｄが形成されている。そして、基板２０の四隅を基板支持片４０Ａ、４０Ｂ、４０Ｃ、４０Ｄに当接させた状態でネジ止めすることにより、基板２０と、筐体４０の内壁面との間に適当な隙間を有しつつ、基板２０を収納凹部４１に収納固定することが可能となっている。
【００３３】
蓋体５０は、図３に示すように、金属薄板が板金加工されたものであり、細長い矩形板の周縁が下方に短く折り曲げられた蓋形状をなしている。蓋体５０の下面側には、仕切り板５１が添設されている。そして、蓋体５０は、開口縁４１Ａと当接するように筐体４０に組み付けられてネジ止めされ、収納凹部４１を覆うようになっている。
【００３４】
筐体４０は、図２に示すように、アース線３３を介して、コネクタ６のアース端子に接続されている。このように基板２０に設けられた低圧電源回路をアースに接続された金属製の筐体４０及び蓋体５０で囲うことにより、高電圧の電力が供給される電源回路からの漏電等の危険を排除する構成となっている。
【００３５】
図２に示すように、筐体４０と蓋体５０との短辺側の合わせ目に位置するコード挿通口４５からは、後述する環状体６０を介して、１対の接続コード３１、３２が引き出されている。また、筐体４０と蓋体５０との長辺側の合わせ目に位置するコード挿通口７５からは、環状体６０と同一形状の環状体７０を介して、１対の内部配線コード７１、７２が引き出されている。ここで、内部配線コード７１、７２が環状体７０を介してコード挿通口７５から引き出される構成は、接続コード３１、３２が環状体６０を介してコード挿通口４５から引き出される構成と同一である。このため、接続コード３１、３２の引き出し構成についてのみ説明し、内部配線コード７１、７２については説明を省略する。
【００３６】
＜接続コードの引き出し構成＞
まず、図３に示すように、低圧電源ユニット１０の基板２０と、筐体４０と、蓋体５０とが組み付けられる前の状態について説明する。
【００３７】
接続コード３１、３２は、一般的な樹脂被覆電線であり、図３に示すように、基板２０の短辺側の縁部に配設された配線用端部２１、２２にハンダ付けされている。配線用端部２１、２２は、低圧電源回路を構成する配線パターン（図示しない）の一部を構成するものである。
【００３８】
より詳しくは、図５に拡大して示すように、接続コード３１、３２の一端３１Ａ、３２Ａ（一端３２Ａは、一端３１Ａに対して図５の紙面奥側に位置する。）は、各配線用端部２１、２２（配線用端部２２は、配線用端部２１に対して図５の紙面奥側に位置する。）に貫設された端子穴２１Ａ、２２Ａ（端子穴２２Ａは、端子穴２１Ａに対して図５の紙面奥側に位置する。）に対して下方から挿通され、基板２０の上面側で折り曲げられて各配線用端部２１、２２にハンダ付けされている。
【００３９】
また、接続コード３１、３２は、図５に示すように、一端３１Ａ、３２Ａから離れた区間に粘着テープ９が巻き付けられて一つにまとめられている。
【００４０】
接続コード３１、３２の他端は、図２及び図３に示すように、上述のコネクタ６に接続されている。また、接続コード３２の途中には、ヒューズボックス３２Ａが設けられている。
【００４１】
図３及び図５に示すように、接続コード３１、３２の中間には、環状体６０が開口６１の内部に両接続コード３１、３２を挿通させた状態で配置されている。
【００４２】
環状体６０は、本実施例では、ＰＥＴ樹脂又はＰＣ樹脂等の熱可塑性樹脂を射出成形することにより製造されるものである。図４に示すように、環状体６０は、上下に細長く貫設された略矩形状の開口６１と、外周面の両側方から径外方向に突出するように一体に形成された一対の凸部６２Ａ、６２Ｂを有している。開口６１は、内部に接続コード３１、３２が挿通されても十分な隙間を確保できる程度に大きくされている。また、環状体６０の厚み方向の両端面側には、径外方向に延在する鍔部６３が形成されている。鍔部６３は、各凸部６２Ａ、６２Ｂの近傍が取り除かれた形状とされている。開口６１が内部に挿通される接続コード３１、３２に対して十分な隙間を有していることと、鍔部６３が各凸部６２Ａ、６２Ｂの近傍で取り除かれていることとにより、環状体６０は、各凸部６２Ａ、６２Ｂが互いに接近する方向に弾性変形し易くなっている。
【００４３】
図３に示すように、筐体４０において、収納凹部４１の開口縁４１Ａの短辺側の一部には、略Ｕ字状の切り欠き４２が形成されている。図４に拡大して示すように、切り欠き４２の両側縁には、矩形状に凹設された一対の凹部４２Ａ、４２Ｂが形成されている。
【００４４】
凹部４２Ａ、４２Ｂが、切り欠き４２に形成された係合部に相当する。また、凸部６２Ａ、６２Ｂが、環状体６０に形成され、係合部としての凹部４２Ａ、４２Ｂに対して弾性変形して係合する被係合部に相当する。そして、環状体６０を図４に示す状態から下方に降下させて、切り欠き４２に挿入すると、凸部６２Ａ、６２Ｂが切り欠き４２の両側縁に当接して、凸部６２Ａ、６２が互いに接近する方向に環状体６０が弾性変形する。そして、図６に示すように、環状体６０が切り欠き４２の最下方にまで押し込まれると、凸部６２Ａ、６２Ｂが互いに離反するように元の状態に戻り、凹部４２Ａ、４２Ｂに入り込んで係合するようになっている。この際、鍔部６３も切り欠き４２を厚み方向で挟むようになっている。
【００４５】
次に、低圧電源ユニット１０の基板２０と、筐体４０と、蓋体５０とが組み付けられる作業手順について説明する。
【００４６】
図３に示す状態において、基板２０が筐体４０の収納凹部４１に収納されるとともに、図６に示すように、環状体６０が内部に両接続コード３１、３２を挿通させた状態で切り欠き４２に挿入される。これにより、凸部６２Ａ、６２Ｂが凹部４２Ａ、４２Ｂに係合して、環状体６０が切り欠き４２に位置決めされる。そして、蓋体５０が上方から筐体４０に組み付けられることにより、蓋体５０の短辺側の下端縁が切り欠き４２を閉じてコード挿通口４５とする。こうして、環状体６０がコード挿通口４５に装着される。その結果、接続コード３１、３２は、低圧電源ユニット１０から引き出されるようになっている。
【００４７】
ここで、実施例１の画像形成装置１は、上述した構成である基板２０と、１対の接続コード３１、３２と、筐体４０と、蓋体５０と、環状体６０とを備える低圧電源ユニット１０と、ハウジング３とを具備している。そして、上述したように、低圧電源ユニット１０の蓋体５０を筐体４０に組み付ける際、まず、環状体６０が内部に両接続コード３１、３２を挿通させた状態で切り欠き４２に挿入される。そして、蓋体５０が筐体４０に組み付けられることにより、環状体６０がコード挿通口４５に装着される。このため、両接続コード３１、３２が確実に切り欠き４２内に位置することとなり、両接続コード３１、３２が蓋体５０と筐体４０とにより挟まれることがなくなる。その結果、作業者が蓋体５０を筐体４０に組み付ける作業を容易に実施できる。
【００４８】
したがって、実施例１の画像形成装置１は、組み付け作業の時間短縮を図ることができる。また、両接続コード３１、３２が蓋体５０と筐体４０とにより挟まれることがないので、両接続コード３１、３２が断線したり、蓋体５０又は筐体４０と接触して短絡が生じたりする不具合を確実に防止でき、低圧電源ユニット１０の安全性を一層高めることができる。
【００４９】
また、この画像形成装置１において、切り欠き４２には係合部としての凹部４２Ａ、４２Ｂが形成され、環状体６０には凹部４２Ａ、４２Ｂに対して弾性変形して係合する被係合部としての凸部６２Ａ、６２Ｂが形成されている。そして、凸部６２Ａ、６２Ｂが凹部４２Ａ、４２Ｂに係合することで、環状体６０が切り欠き４２に対して位置決めされるようになっている。このため、この画像形成装置１は、低圧電源ユニット１０の蓋体５０を筐体４０に組み付ける際、環状体６０が切り欠き４２から外れ難くなるので、蓋体５０を筐体４０に組み付ける作業を一層容易に実施することができる。
【００５０】
さらに、この画像形成装置１において、係合部としての一対の凹部４２Ａ、４２Ｂは、切り欠き４２の両側縁に形成され、被係合部としての一対の凸部６２Ａ、６２Ｂは、環状体６０の外周面から径外方向に突出するように形成されている。このような具体的構成により本発明の作用効果を確実に奏することができる。
【００５１】
また、この画像形成装置１において、両接続コード３１、３２は、基板２０と切り欠き４２との間の一部の区間で、粘着テープ９により一つにまとめられている。このため、この画像形成装置１は、環状体６０の内部に両接続コード３１、３２を挿通させる作業を容易に実施できる。また、結束バンドにより接続コード３１、３２をまとめる場合は、接続コード３１、３２が締め付けられ過ぎて損傷する不具合も生じ得るが、粘着テープ９では、そのような不具合も生じ難い。さらに、例えば、一方の接続コード３１の一端３１Ａが断線等により基板２０から離れたとしても、粘着テープ９により他方の接続コード３２とまとめられているので、蓋体５０や筐体４０と接触し難く、短絡が生じ難い。
【実施例２】
【００５２】
実施例２の画像形成装置は、実施例１の画像形成装置１における環状体６０の代わりに、図７に示す環状体２６０を採用している。その他の構成は、実施例１の画像形成装置１と同様である。このため、環状体２６０について詳しく説明し、その他の構成については説明を省略する。
【００５３】
図７に示すように、環状体２６０は樹脂製の筒状体であり、軸方向の略中央には、外周面を一周する凹溝２６１が形成されている。凹溝２６１の内径は、切り欠き４２に対して小さな隙間を有して収まる程度の大きさとされ、凹溝２６１の幅は、切り欠き４２の厚みよりやや厚くされている。
【００５４】
このような構成である実施例２の画像形成装置でも、低圧電源ユニット１０の蓋体５０を筐体４０に組み付ける際、まず、環状体２６０が内部に両接続コード３１、３２を挿通させた状態で切り欠き４２に挿入される。この際、凹溝２６１の両側面が切り欠き４２を厚み方向で挟持する。そして、蓋体５０が筐体４０に組み付けられることにより、環状体２６０がコード挿通口４５に装着される。
【００５５】
したがって、実施例２の画像形成装置は、実施例１と比較して環状体２６０が切り欠き４２から外れやすいという欠点はあるが、組み付け作業の時間短縮を図ることができるとともに、低圧電源ユニット１０の安全性を一層高めることができる。
【実施例３】
【００５６】
実施例３の画像形成装置は、実施例１の画像形成装置１における環状体６０の代わりに、図８及び図９に示す環状体３６０を採用し、基板２０に係合部としての貫通穴３４２Ａ、３４２Ｂを設けている。その他の構成は、実施例１の画像形成装置１と同様である。このため、環状体３６０及び貫通穴３４２Ａ、３４２Ｂについて詳しく説明し、その他の構成については説明を省略する。
【００５７】
環状体３６０は、図８及び図９に示すように、折れ曲がった略円筒形状の樹脂製長尺体である。
【００５８】
環状体３６０の切り欠き４２に装着される側の端部（図８中、左側）には、外周面を一周する凹溝３６１が形成されている。凹溝３６１は、上述の凹溝２６１と同一形状であるので、説明は省略する。
【００５９】
環状体３６０の基板２０側の端部は、接続コード３１、３２の配置経路に沿うように直角に折り曲げられて、上方を向いている。そして、環状体３６０の基板２０側の端部の幅方向（図９中、左右方向）の両端側からは、上方に向けて１対の鍵爪３６２Ａ、３６２Ｂが突出するように一体に形成されている。
【００６０】
環状体３６０の内部には、軸方向に延在する隔壁３８０が形成されており、各接続コード３１、３２を１本ずつに仕切るようになっている。なお、本実施例では、隔壁３８０が環状体３６０の一端から他端まで連続して形成されているが、少なくとも一部の区間に形成されていればよい。
【００６１】
図１０〜図１２に示すように、貫通穴３４２Ａ、３４２Ｂは、配線用端部２１、２２を挟むように配置されている。図１２に示すように、各貫通穴３４２Ａ、３４２Ｂは、各鍵爪３６２Ａ、３６２Ｂが挿通可能な大きさの矩形穴である。また、貫通穴３４２Ａ、３４２Ｂ同士の間隔は、鍵爪３６２Ａ、３６２Ｂの間隔より若干狭くされている。
【００６２】
貫通穴３４２Ａ、３４２Ｂが、基板２０に形成された係合部に相当する。また、鍵爪３６２Ａ、３６２Ｂが、環状体６０に形成され、係合部としての貫通穴３４２Ａ、３４２Ｂに対して弾性変形して係合する被係合部に相当する。そして、図１０に示すように、環状体３６０を基板２０から下方に離した状態で、接続コード３１、３２の一端３１Ａ、３２Ａを配線用端部２１、２２にハンダ付けした後、環状体３６０を上方に移動させて、鍵爪３６２Ａ、３６２Ｂを貫通穴３４２Ａ、３４２Ｂに挿通させると、鍵爪３６２Ａ、３６２Ｂが互いに接近するように弾性変形する。そして、図１１に示すように、環状体３６０を基板２０の下面に当接する程度まで上昇させると、鍵爪３６２Ａ、３６２Ｂが貫通穴３４２Ａ、３４２Ｂを超えて再び離反するように元の状態に戻り、貫通穴３４２Ａ、３４２Ｂに係合するようになっている。その結果、図１２に示すように、環状体３６０は、基板２０に対して位置決めされるので、環状体３６０の切り欠き４２側の端部が揺動し難くなる。このため、基板２０が収納凹部４１に収納固定されれば、環状体３６０は、切り欠き４２に間接的に位置決めされる。
【００６３】
このような構成である実施例３の画像形成装置でも、図１３に示すように、低圧電源ユニット１０の蓋体５０を筐体４０に組み付ける際、まず、環状体３６０が内部に両接続コード３１、３２を挿通させた状態で切り欠き４２に挿入される。そして、蓋体５０が筐体４０に組み付けられることにより、環状体３６０がコード挿通口４５に装着される。
【００６４】
したがって、実施例３の画像形成装置も、組み付け作業の時間短縮を図ることができるとともに、低圧電源ユニット１０の安全性を一層高めることができる。
【００６５】
また、この画像形成装置において、基板２０には係合部としての貫通穴３４２Ａ、３４２Ｂが形成され、環状体３６０には貫通穴３４２Ａ、３４２Ｂに対して弾性変形して係合する被係合部としての鍵爪３６２Ａ、３６２Ｂが形成されている。そして、鍵爪３６２Ａ、３６２Ｂが貫通穴３４２Ａ、３４２Ｂに係合することで、環状体３６０が切り欠き４２に対して間接的に位置決めされるようになっている。このため、この画像形成装置も、実施例１の画像形成装置１と同様に、環状体３６０が切り欠き４２から外れ難くなるので、蓋体５０を筐体４０に組み付ける作業を一層容易に実施することができる。
【００６６】
さらに、この画像形成装置では、環状体３６０が切り欠き４２から基板２０まで延びる長尺体であり、隔壁３８０を有している。このため、この画像形成装置は、接続コード３１、３２同士の接触や、接続コード３１、３２が筐体４０や蓋体５０に接触することを確実に防止できるので、低圧電源ユニット１０の安全性をより一層高めることができる。
【実施例４】
【００６７】
実施例４の画像形成装置は、実施例３の画像形成装置における環状体３６０の隔壁３８０を取り除いた環状体４６０（図１４に示す。）を採用している。そして、環状体４６０の内部において、粘着テープ９により接続コード３１、３２が一つにまとめられている。その他の構成は、実施例３の画像形成装置と同様であるので、説明を省略する。
【００６８】
このような構成である実施例４の画像形成装置も、実施例３の画像形成装置と同様に、本発明の作用効果を奏することができる。
【００６９】
また、環状体４６０が基板２０まで延びる長尺体であるので、粘着テープ９を接続コード３１、３２に巻きつける位置をハンダ付けの熱が伝わり難い位置まで離すことができる。このため、粘着テープ９がハンダ付けの熱で剥がれることを抑制できる。
【実施例５】
【００７０】
実施例５の画像形成装置は、実施例４の画像形成装置における環状体４６０の鍵爪３６２Ａ、３６２Ｂを取り除いた環状体５６０（図１５に示す。）を採用している。そして、環状体５６０の内部において、粘着テープ９により接続コード３１、３２が一つにまとめられている。その他の構成は、実施例４の画像形成装置と同様であるので、説明を省略する。
【００７１】
このような構成である実施例５の画像形成装置は、被係合部としての鍵爪３６２Ａ、３６２Ｂがないことにより、実施例３、４と比較して環状体５６０が切り欠き４２から外れやすいという欠点はあるが、本発明の作用効果を奏することができる。
【００７２】
以上において、本発明を実施例１〜５に即して説明したが、本発明は上記実施例１〜５に制限されるものではなく、その趣旨を逸脱しない範囲で適宜変更して適用できることはいうまでもない。
【産業上の利用可能性】
【００７３】
本発明は画像形成装置に利用可能である。
【図面の簡単な説明】
【００７４】
【図１】実施例１の画像形成装置の斜視図である。
【図２】実施例１の画像形成装置に係り、低圧電源ユニットを示す斜視図である。
【図３】実施例１の画像形成装置に係り、組み付けられる前の状態の低圧電源ユニットを示す分解斜視図である。
【図４】実施例１の画像形成装置に係り、切り欠きと環状体とを示す部分拡大斜視図である。
【図５】実施例１の画像形成装置に係り、図３の矢視Ｖ方向からみた基板と接続コードと環状体とを示す側面図（部分断面図）である。
【図６】実施例１の画像形成装置に係り、コード挿通口に装着された状態の環状体と接続コードとを示す部分拡大斜視図である。
【図７】実施例２の画像形成装置に係り、図３の矢視Ｖ方向からみた基板と接続コードと環状体とを示す斜視図（部分断面図）である。
【図８】実施例３の画像形成装置に係り、環状体の側面図である。
【図９】実施例３の画像形成装置に係り、環状体の正面図である。
【図１０】実施例３の画像形成装置に係り、環状体の鍵爪を基板の貫通穴に係合させる前の状態を示す正面図（部分断面図）である。
【図１１】実施例３の画像形成装置に係り、環状体の鍵爪を基板の貫通穴に係合させた後の状態を示す正面図（部分断面図）である
【図１２】実施例３の画像形成装置に係り、環状体の鍵爪を基板の貫通穴に係合させた後の状態を示す上面図（図１１における矢視ＸＩＩ方向から見た図）である
【図１３】実施例３の画像形成装置に係り、コード挿通口に装着された状態の環状体と接続コードとを示す部分拡大斜視図である。
【図１４】実施例４の画像形成装置に係り、環状体の鍵爪を基板の貫通穴に係合させた後の状態を示す上面図（図１１における矢視ＸＩＩ方向から見た図）である
【図１５】実施例５の画像形成装置に係り、図３の矢視Ｖ方向からみた基板と接続コードと環状体とを示す斜視図である。
【符号の説明】
【００７５】
１…画像形成装置
３…ハウジング
９…粘着テープ
１０…低圧電源（低圧電源ユニット）
２０…基板
３１、３２…接続コード
３１Ａ、３２Ａ…接続コードの一端
４０…筐体
４１…収納凹部
４１Ａ…開口縁
４２…切り欠き
４２Ａ、４２Ｂ、３４２Ａ、３４２Ｂ…係合部（４２Ａ、４２Ｂ…凹部、３４２Ａ、３４２Ｂ…貫通穴）
４５…コード挿通口
５０…蓋体
６０、２６０、３６０、４６０、５６０…環状体
６２Ａ、６２Ｂ、３６２Ａ、３６２Ｂ…被係合部（６２Ａ、６２Ｂ…凸部、３６２Ａ、３６２Ｂ…鍵爪）
３８０…隔壁
【図１】
2009036841.tif 000003
【図２】
2009036841.tif 000004
【図３】
2009036841.tif 000005
【図４】
2009036841.tif 000006
【図５】
2009036841.tif 000007
【図６】
2009036841.tif 000008
【図７】
2009036841.tif 000009
【図８】
2009036841.tif 000010
【図９】
2009036841.tif 000011
【図１０】
2009036841.tif 000012
【図１１】
2009036841.tif 000013
【図１２】
2009036841.tif 000014
【図１３】
2009036841.tif 000015
【図１４】
2009036841.tif 000016
【図１５】
2009036841.tif 000017